(57)【要約】【課題】従来の合葬墓においては、墓を繰り返し使用するためには、遺骨で満杯となった合葬室の遺骨を取り出し更新する必要があった。また、合葬室は散骨された遺骨で満杯となることが前提となっており、合葬室を恒久使用する合葬墓は一般的ではない。【解決手段】本発明は合葬室の恒久使用を可能にするために、雨水による遺骨の脱灰現象で、遺骨の風化を促進する手段を有し、散骨による遺骨体積の増加量と、風化による遺骨体積の減少量と、の平衡点を計算し、設定された散骨量から算出された合葬室空間の容積を有するものであることを特徴とする。【選択図】図１
2019203296.tif 000002
【特許請求の範囲】
【請求項１】
火葬後の遺骨を納める合葬墓であって、合葬室と、散骨手段と、注水手段と、地下浸透手段と、で構成されていることを特徴とする合葬墓。
【請求項２】
合葬室への注水手段は、雨水を注水口に集め、必要以上の水はオーバーフローする機構を備えていることを特徴とする請求項１に記載の合葬墓。
【請求項３】
合葬室の密閉手段は、注水口に封水機構を備えていることを特徴とする請求項１に記載の合葬墓。
【請求項４】
地下浸透手段として、合葬室の下部に雨水浸透機構を備えていることを特徴とする請求項１に記載の合葬墓。
【請求項５】
遺骨保管室を備えていることを特徴とする請求項１に記載の合葬墓。
【請求項６】
慰霊板を取り付けるための壁を備えていることを特徴とする請求項１に記載の合葬墓。
【請求項７】
慰霊碑又は仏像を備えていることを特徴とする請求項１に記載の合葬墓。
【請求項８】
供花用の花立てを備えていることを特徴とする請求項１に記載の合葬墓。
【発明の詳細な説明】
【技術分野】
【０００１】
本発明は、合葬墓に関する。
【背景技術】
【０００２】
従来、合葬墓は遺骨で合葬室が満杯になった時点で遺骨の取り出しが必要であった。このような合葬墓を示す従来技術としては、下記特許文献１〜６がある。
【先行技術文献】
【特許文献】
【０００３】
【特許文献１】特許第５２４６８２６号公報
【特許文献２】特開２０１２−７２６１４号公報
【特許文献３】特開２００９−２３５６９７号公報
【特許文献４】特開２００８−１３３６６７号公報
【特許文献５】特開昭６３−２８０１６２号公報
【特許文献６】実登３００８６５０号公報
【発明の概要】
【発明が解決しようとする課題】
【０００４】
上記特許文献１〜６に示すような従来の合葬墓において、墓を繰り返し使用するためには、遺骨を取り出し更新することが、一般的であった。また、合葬室は恒久使用を前提としておらず、遺骨の体積が、散骨による増加と、風化による減少と、の平衡点は、重要な設計要素とはなっていない。よって、合葬室の恒久使用を前提とした合葬墓は一般的ではない。
【０００５】
そこで、本発明は上記、従来の課題に対し、散骨による遺骨体積の増加と、風化による遺骨体積の減少と、の平衡点を計算した合葬室空間の容積を有する設計により解決し、恒久使用できる合葬室を持つ合葬墓を提供することを課題とする。
【課題を解決するための手段】
【０００６】
本発明の合葬墓は火葬後の遺骨を納める合葬墓であって、合葬室と、散骨手段と、注水手段と、地下浸透手段と、で構成されていることを特徴とする合葬墓であることを第１の特徴としている。
【０００７】
上記本発明の合葬墓の第１の特徴によれば、本発明の合葬墓は火葬後の遺骨を納める合葬墓であって、合葬室と、散骨手段と、注水手段と、地下浸透手段と、で構成されていることを特徴とすることから、年間散骨量をＶ１、合葬室空間の容積をＶ２、遺骨体積の年間風化減少量をａ％とすると、Ｖ２×ａ÷１００＞Ｖ１が成立するように、Ｖ１およびＶ２を設定することにより、計画された散骨量の範囲内であれば風化による遺骨体積の減少により、合葬室が満杯となることがなく、半永久的に継続使用することが可能である。
【０００８】
さらに、年間風化減少量ａを決定する要因は、注水口から合葬室に注がれる雨水の量Ｖ３と、雨水のｐＨ値である。
【０００９】
Ｖ３は合葬墓の雨水収集面積×降水量で決まる。火葬後の遺骨の主成分であるリン酸カルシウムの、脱灰現象による、溶解が始まるｐＨ値は、５．５から６．５と言われており、雨水のｐＨ値の平成１５年から平成１９年の全国平均値は、５以下となっているので、雨水による、遺骨の溶解が発生する、状況である。
【００１０】
また、本発明の合葬墓は、上記本発明の第１の特徴に加えて、合葬室への注水手段は、雨水を注水口に集め、必要以上の水はオーバーフローする機構を備えている合葬墓であることを第２の特徴としている。
【００１１】
上記本発明の第２の特徴によれば、上記本発明の第１の特徴による作用効果に加えて、合葬室への注水手段は、雨水を注水口に集め、必要以上の水はオーバーフローする機構を備えている合葬墓であることを特徴とすることから、風化を促進するための雨水を効率的に集め、適切な量を合葬室に注水することができる。
【００１２】
また、本発明の合葬墓は、上記本発明の第１の特徴に加えて、合葬室の密閉手段は注水口に封水機構を備えている合葬墓であることを第３の特徴としている。
【００１３】
上記本発明の第３の特徴によれば、上記本発明の第１の特徴による作用効果に加えて、合葬室の密閉手段は注水口に封水機構を備えている合葬墓であることを特徴とすることから、封水機構に溜まった雨水により、合葬室が外気と遮断され、室外からの異物の侵入を防止すると共に、室内の物質の室外への流出を防止することができる。
【００１４】
また、本発明の合葬墓は、上記本発明の第１の特徴に加えて、地下浸透手段として、合葬室の下部に雨水浸透機構を備えている合葬墓であることを第４の特徴としている。
【００１５】
上記本発明の第４の特徴によれば、上記本発明の第１の特徴による作用効果に加えて、地下浸透手段として、合葬室の下部に雨水浸透機構を備えている合葬墓であることを特徴とすることから、合葬室の底が井戸の機能を有しており、底が地下水位より下にある場合は、地下水位に雨水が滞留し、底が地下水位より上にある場合は、空井戸状態となるが、降水時は、雨水が地下浸透を完了するまでの間、地下水位以上に雨水が滞留するので、遺骨の風化を促進することができる。
【００１６】
また、本発明の合葬墓は、上記本発明の第１の特徴に加えて、遺骨保管室を備えている合葬墓であることを第５の特徴としている。
【００１７】
上記本発明の第５の特徴によれば、上記本発明の第１の特徴による作用効果に加えて、遺骨保管室を備えている合葬墓であることを特徴とすることから、散骨前に一定期間の遺骨保管を希望する合葬墓利用者は、遺骨保管室を利用することができる。
【００１８】
また、本発明の合葬墓は、上記本発明の第１の特徴に加えて、慰霊板を取り付けるための壁を備えている合葬墓であることを第６の特徴としている。
【００１９】
上記本発明の第６の特徴によれば、上記本発明の第１の特徴による作用効果に加えて、慰霊板を取り付けるための壁を備えている合葬墓であることを特徴とすることから、納骨したことを示す慰霊板を取り付けることができると共に、納骨なしで慰霊を希望する合葬墓利用希望者でも慰霊板を取り付けて、慰霊することができる。
【００２０】
また、本発明の合葬墓は、上記本発明の第１の特徴に加えて、慰霊碑又は仏像を備えている合葬墓であることを第７の特徴としている。
【００２１】
上記本発明の第７の特徴によれば、上記本発明の第１の特徴による作用効果に加えて、慰霊碑又は仏像を備えている合葬墓であることを特徴とすることから、慰霊のためのシンボルが安置されている合葬墓となることにより、聖地として位置づけが高まり、利用者の慰霊心を高めることができる。
【００２２】
また、本発明の合葬墓は、上記本発明の第１の特徴に加えて、供花用の花立てを備えている合葬墓であることを第８の特徴としている。
【００２３】
上記本発明の第８の特徴によれば、上記本発明の第１の特徴による作用効果に加えて、供花用の花立てを備えている合葬墓であることを特徴とすることから、利用者は供花による慰霊をすることができる。
【発明の効果】
【００２４】
本発明の合葬墓によれば、合葬室が満杯になることがなく、半永久的に継続使用ができる。
【図面の簡単な説明】
【００２５】
【図１】本発明の合葬墓の基本形態の透視斜視図である。
【図２】本発明の合葬墓の基本形態の斜視図である。
【図３】本発明の合葬墓の基本形態の斜視図地下部分である。
【図４】本発明の合葬墓の基本形態の合葬室斜視透視図拡大である。
【図５】本発明の合葬墓の基本形態の慰霊板部斜視図拡大である。
【図６】本発明の合葬墓の基本形態の花立て斜視図である。
【図７】本発明の合葬墓の基本形態の仏像斜視図である。
【図８】本発明の合葬墓の基本形態の遺骨保管棚斜視図である。
【発明を実施するための形態】
【００２６】
以下、図面を参照して、本発明の実施形態に係る合葬墓を説明し、本発明の理解に供する。しかし、以下の説明は本発明の実施形態であって、特許請求の範囲に記載の内容を限定するものではない。
【００２７】
図1から図８を参照して、本発明の実施形態に係る合葬墓の基本形態は、合葬室本体１と、散骨口蓋２と、散骨口３と、注水口４と、集水桝５と、排水口６と、地下浸透部７と、遺骨保管室８と、慰霊板貼付け壁９と、慰霊板１０と、仏像１１と、花立て１２と、遺骨保管室階段１３と、遺骨保管室入口扉１４と、手すり１５と、遺骨保管棚１６と、で構成されている。
【００２８】
合葬室は、散骨された遺骨が蓄積される合葬室空間を有しており、上部に散骨手段となる散骨口３と散骨口蓋２を有しており、側面に注水手段となる封水機能を持つ管トラップ付の注水口４を有しており、下部は地下浸透手段となる地下浸透部７を有している。
【００２９】
遺骨保管室８の屋上に降った雨水は屋上床面の傾斜により集水桝５に集められる。集水桝５に集まった雨水は注水口４より合葬室に注がれる。合葬室空間の水位が上がり排水口６を超えた場合は排水口６よりオーバーフローする。
【００３０】
合葬室空間の水位が注水口４以下となった場合でも、注水口４の管トラップ部に雨水が残留し封水機能を果たす。
【００３１】
地下浸透部７の元の地盤が井戸機能を持つ通水土壌の場合は、土壌改良の必要はないが、通水土壌でない場合は、地下浸透機能が生ずるように改良する必要がある。
【００３２】
遺骨保管室８は半地下構造となっており、遺骨保管室入口扉１４を開けて、遺骨保管室階段１３を下りていくと、遺骨保管室８の床面に至る。遺骨保管室８には遺骨保管棚１６が設置されており、遺骨を棚に保管する。棚の移動を容易にするため、レール付の移動棚とすることができる。
【００３３】
慰霊板１０には戒名と、俗名と、享年と、施主と、を書けるスペースを有している。また、○○家代々霊位と書き先祖の慰霊をすることもできる。さらに、仏教以外の慰霊文を記入することもできる。壁への取り付けは、ネジ止めとし、合葬墓利用者の慰霊期間が過ぎた慰霊板は、取り外すことができる。
【００３４】
本基本形態では中心に仏像１１を安置しているが、無宗教墓とする場合は樹木を中心に植えて、シンボルとすることもできる。
【００３５】
花立て１２は階段状にすることにより、多くの花を供えることができる。本基本形態で設置している花立て１２と共に、ろうそく立て、線香立て、賽銭箱、灯篭、梵鐘、を設置することもできる。
【００３６】
遺骨保管室８の屋上が散骨と慰霊板参拝用の床となっており、階段を上り、手すり１５に囲まれた範囲が参拝者の行動できる場所となっている。
【００３７】
合葬室本体１と、遺骨保管室８と、慰霊板貼付け壁９と、はコンクリート製となっているが、経年劣化を防止するため、ＦＲＰ塗装をすることができる。
【００３８】
次に、請求項に登場する各手段を実現する構成を説明する。
【００３９】
散骨手段は、合葬室本体１と、散骨口３と、散骨口蓋２と、で構成されている。散骨する時は、散骨口蓋２を開き、骨壺から取り出した遺骨を、散骨口３から合葬室空間に散骨する。散骨口３は遺骨以外のものが誤って、合葬室空間に落ちないよう、金属メッシュを設けておくことができる。
【００４０】
注水手段は、遺骨保管室８の屋上の床面と、集水桝５と、注水口４と、排水口６と、で構成されている。床面に降った雨水は、床面の傾斜により、集水桝５に集められ、注水口４を通って合葬室に注がれる。注水口４より上の水位に排水口６が設けてあるが、排水口６から雨水があふれる水位となった場合は、排水口６から雨水が排出される。
【００４１】
地下浸透手段は、合葬室本体１の開放された底面と、地下浸透部７と、で構成されている。合葬室に注がれた雨水は、一旦、合葬室空間に滞留するが、この時に、雨水による遺骨の脱灰現象が発生し、遺骨の風化を促進させる。遺骨成分のリン酸カルシウムを溶解した雨水は、地下浸透部７を通して、徐々に、地下土壌に浸透していく。
【００４２】
合葬室の密閉手段は、合葬室本体１と、封水機能を持つ管トラップ付の注水口４と、散骨口３と、散骨口蓋２と、で構成されている。合葬室は、地下浸透部７を除き、外部と遮断された状態となっており、室外からの異物の侵入を防止すると共に、室内の物質の室外への流出を防止することができる。散骨口蓋２は誤っての開放を防止するために、鍵付きとすることができる。
【００４３】
遺骨の風化を促進する手段は、雨水を合葬室に引き込み、遺骨の堆積部に雨水を滞留させることにより、遺骨の脱灰現象を生じさせて、遺骨の風化を促進する。さらに、滞留した雨水は、遺骨の成分を溶解した後、徐々に地下に浸透し、次に引き込まれた新しい雨水と入れ替わるため、遺骨成分の溶解が継続する。
【００４４】
合葬室は、合葬室本体1と、散骨口蓋２と、散骨口３と、注水口４と、地下浸透部７と、前記部分で囲まれた合葬室空間と、で構成されている。
【００４５】
合葬室本体1の外縁と散骨口２との距離は、散骨者が散骨口２から散骨できる距離とする必要から、５０センチメートル以下とする。
【産業上の利用可能性】
【００４６】
本発明は一般的な合葬墓に利用することができる。
【符号の説明】
【００４７】
１          合葬室本体
２          散骨口蓋
３          散骨口
４          注水口
５          集水桝
６          排水口
７          地下浸透部
８          遺骨保管室
９          慰霊板貼付け壁
１０          慰霊板
１１          仏像
１２          花立て
１３          遺骨保管室階段
１４          遺骨保管室入口扉
１５          手すり
１６          遺骨保管棚
【図１】
2019203296.tif 000003
【図２】
2019203296.tif 000004
【図３】
2019203296.tif 000005
【図４】
2019203296.tif 000006
【図５】
2019203296.tif 000007
【図６】
2019203296.tif 000008
【図７】
2019203296.tif 000009
【図８】
2019203296.tif 000010
【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
火葬後の遺骨を納める合葬室を備える、合葬墓であって、前記、合葬室は、骨壺から取り出した遺骨を、散骨口から合葬室空間に散骨する、散骨手段と、雨水を注水口に集め、適切な量を、前記、合葬室に注水する、注水手段と、雨水による遺骨の溶解で、遺骨の風化を促進する手段と、を備えていることを特徴とする合葬墓。
【請求項２】
前記、合葬室の密閉手段は、注水口に封水機構を備えていることを特徴とする請求項１に記載の合葬墓。
【請求項３】
前記、遺骨の風化を促進する手段は、合葬室の下部に、滞留した雨水が、遺骨成分を溶解した後、徐々に地下に浸透し、次に引き込まれた新しい雨水と入れ替わるため、遺骨成分の溶解が継続する、地下浸透手段を備えていることを特徴とする請求項１に記載の合葬墓。
【手続補正２】
【補正対象書類名】明細書
【補正対象項目名】全文
【補正方法】変更
【補正の内容】
【発明の詳細な説明】
【技術分野】
【０００１】
本発明は、合葬墓に関する。
【背景技術】
【０００２】
従来、合葬墓は遺骨で合葬室が満杯になった時点で遺骨の取り出しが必要であった。このような合葬墓を示す従来技術としては、下記特許文献１〜６がある。
【先行技術文献】
【特許文献】
【０００３】
【特許文献１】特許第５２４６８２６号公報
【特許文献２】特開２０１２−７２６１４号公報
【特許文献３】特開２００９−２３５６９７号公報
【特許文献４】特開２００８−１３３６６７号公報
【特許文献５】特開昭６３−２８０１６２号公報
【特許文献６】実登３００８６５０号公報
【発明の概要】
【発明が解決しようとする課題】
【０００４】
上記特許文献１〜６に示すような従来の合葬墓において、墓を繰り返し使用するためには、遺骨を取り出し更新することが、一般的であった。また、合葬室は恒久使用を前提としておらず、遺骨の体積が、散骨による増加と、風化による減少と、の平衡点は、重要な設計要素とはなっていない。よって、合葬室の恒久使用を前提とした合葬墓は一般的ではない。
【０００５】
そこで、本発明は上記、従来の課題に対し、散骨による遺骨体積の増加と、風化による遺骨体積の減少と、の平衡点を計算した合葬室空間の容積を有する設計により解決し、恒久使用できる合葬室を持つ合葬墓を提供することを課題とする。
【課題を解決するための手段】
【０００６】
本発明の合葬墓は火葬後の遺骨を納める合葬室を備える、合葬墓であって、前記、合葬室は、骨壺から取り出した遺骨を、散骨口から合葬室空間に散骨する、散骨手段と、雨水を注水口に集め、適切な量を、前記、合葬室に注水する、注水手段と、雨水による遺骨の溶解で、遺骨の風化を促進する手段と、を備えていることを特徴とする合葬墓であることを第１の特徴としている。
【０００７】
上記本発明の合葬墓の第１の特徴によれば、本発明の合葬墓は火葬後の遺骨を納める合葬室を備える、合葬墓であって、前記、合葬室は、骨壺から取り出した遺骨を、散骨口から合葬室空間に散骨する、散骨手段と、雨水を注水口に集め、適切な量を、前記、合葬室に注水する、注水手段と、雨水による遺骨の溶解で、遺骨の風化を促進する手段と、を備えていることを特徴とすることから、年間散骨量をＶ１、合葬室空間の容積をＶ２、遺骨体積の年間風化減少量をａ％とすると、Ｖ２×ａ÷１００＞Ｖ１が成立するように、Ｖ１およびＶ２を設定することにより、計画された散骨量の範囲内であれば風化による遺骨体積の減少により、合葬室が満杯となることがなく、半永久的に継続使用することが可能である。
【０００８】
さらに、年間風化減少量ａを決定する要因は、注水口から合葬室に注がれる雨水の量Ｖ３と、雨水のｐＨ値である。
【０００９】
Ｖ３は合葬墓の雨水収集面積×降水量で決まる。火葬後の遺骨の主成分であるリン酸カルシウムの、脱灰現象による、溶解が始まるｐＨ値は、５．５から６．５と言われており、雨水のｐＨ値の平成１５年から平成１９年の全国平均値は、５以下となっているので、雨水による、遺骨の溶解が発生する、状況である。
【００１０】
合葬室への注水手段は、雨水を注水口に集め、必要以上の水はオーバーフローする機構を備えている合葬墓であることを特徴とすることから、風化を促進するための雨水を効率的に集め、適切な量を合葬室に注水することができる。
【００１１】
また、本発明の合葬墓は、上記本発明の第１の特徴に加えて、合葬室の密閉手段は注水口に封水機構を備えている合葬墓であることを第２の特徴としている。
【００１２】
上記本発明の第２の特徴によれば、上記本発明の第１の特徴による作用効果に加えて、合葬室の密閉手段は注水口に封水機構を備えている合葬墓であることを特徴とすることから、封水機構に溜まった雨水により、合葬室が外気と遮断され、室外からの異物の侵入を防止すると共に、室内の物質の室外への流出を防止することができる。
【００１３】
また、本発明の合葬墓は、上記本発明の第１の特徴に加えて、前記、遺骨の風化を促進する手段は、合葬室の下部に、滞留した雨水が、遺骨成分を溶解した後、徐々に地下に浸透し、次に引き込まれた新しい雨水と入れ替わるため、遺骨成分の溶解が継続する、地下浸透手段を備えている合葬墓であることを第３の特徴としている。
【００１４】
上記本発明の第３の特徴によれば、上記本発明の第１の特徴による作用効果に加えて、前記、遺骨の風化を促進する手段は、合葬室の下部に、滞留した雨水が、遺骨成分を溶解した後、徐々に地下に浸透し、次に引き込まれた新しい雨水と入れ替わるため、遺骨成分の溶解が継続する、地下浸透手段を備えている合葬墓であることを特徴とすることから、合葬室の底が井戸の機能を有しており、底が地下水位より下にある場合は、地下水位に雨水が滞留し、底が地下水位より上にある場合は、空井戸状態となるが、降水時は、雨水が地下浸透を完了するまでの間、地下水位以上に雨水が滞留するので、遺骨の風化を促進することができる。
【発明の効果】
【００１５】
本発明の合葬墓によれば、合葬室が満杯になることがなく、半永久的に継続使用ができる。
【図面の簡単な説明】
【００１６】
【図１】本発明の合葬墓の基本形態の透視斜視図である。
【図２】本発明の合葬墓の基本形態の斜視図である。
【図３】本発明の合葬墓の基本形態の斜視図地下部分である。
【図４】本発明の合葬墓の基本形態の合葬室斜視透視図拡大である。
【図５】本発明の合葬墓の基本形態の慰霊板部斜視図拡大である。
【図６】本発明の合葬墓の基本形態の花立て斜視図である。
【図７】本発明の合葬墓の基本形態の仏像斜視図である。
【図８】本発明の合葬墓の基本形態の遺骨保管棚斜視図である。
【発明を実施するための形態】
【００１７】
以下、図面を参照して、本発明の実施形態に係る合葬墓を説明し、本発明の理解に供する。しかし、以下の説明は本発明の実施形態であって、特許請求の範囲に記載の内容を限定するものではない。
【００１８】
図1から図８を参照して、本発明の実施形態に係る合葬墓の基本形態は、合葬室本体１と、散骨口蓋２と、散骨口３と、注水口４と、集水桝５と、排水口６と、地下浸透部７と、遺骨保管室８と、慰霊板貼付け壁９と、慰霊板１０と、仏像１１と、花立て１２と、遺骨保管室階段１３と、遺骨保管室入口扉１４と、手すり１５と、遺骨保管棚１６と、で構成されている。
【００１９】
合葬室は、散骨された遺骨が蓄積される合葬室空間を有しており、上部に散骨手段となる散骨口３と散骨口蓋２を有しており、側面に注水手段となる封水機能を持つ管トラップ付の注水口４を有しており、下部は地下浸透手段となる地下浸透部７を有している。
【００２０】
遺骨保管室８の屋上に降った雨水は屋上床面の傾斜により集水桝５に集められる。集水桝５に集まった雨水は注水口４より合葬室に注がれる。合葬室空間の水位が上がり排水口６を超えた場合は排水口６よりオーバーフローする。
【００２１】
合葬室空間の水位が注水口４以下となった場合でも、注水口４の管トラップ部に雨水が残留し封水機能を果たす。
【００２２】
地下浸透部７の元の地盤が井戸機能を持つ通水土壌の場合は、土壌改良の必要はないが、通水土壌でない場合は、地下浸透機能が生ずるように改良する必要がある。
【００２３】
遺骨保管室８は半地下構造となっており、遺骨保管室入口扉１４を開けて、遺骨保管室階段１３を下りていくと、遺骨保管室８の床面に至る。遺骨保管室８には遺骨保管棚１６が設置されており、遺骨を棚に保管する。棚の移動を容易にするため、レール付の移動棚とすることができる。
【００２４】
慰霊板１０には戒名と、俗名と、享年と、施主と、を書けるスペースを有している。また、○○家代々霊位と書き先祖の慰霊をすることもできる。さらに、仏教以外の慰霊文を記入することもできる。壁への取り付けは、ネジ止めとし、合葬墓利用者の慰霊期間が過ぎた慰霊板は、取り外すことができる。
【００２５】
本基本形態では中心に仏像１１を安置しているが、無宗教墓とする場合は樹木を中心に植えて、シンボルとすることもできる。
【００２６】
花立て１２は階段状にすることにより、多くの花を供えることができる。本基本形態で設置している花立て１２と共に、ろうそく立て、線香立て、賽銭箱、灯篭、梵鐘、を設置することもできる。
【００２７】
遺骨保管室８の屋上が散骨と慰霊板参拝用の床となっており、階段を上り、手すり１５に囲まれた範囲が参拝者の行動できる場所となっている。        
【００２８】
合葬室本体１と、遺骨保管室８と、慰霊板貼付け壁９と、はコンクリート製となっているが、経年劣化を防止するため、ＦＲＰ塗装をすることができる。
【００２９】
次に、請求項に登場する各手段を実現する構成を説明する。
【００３０】
散骨手段は、合葬室本体１と、散骨口３と、散骨口蓋２と、で構成されている。散骨する時は、散骨口蓋２を開き、骨壺から取り出した遺骨を、散骨口３から合葬室空間に散骨する。散骨口３は遺骨以外のものが誤って、合葬室空間に落ちないよう、金属メッシュを設けておくことができる。
【００３１】
注水手段は、遺骨保管室８の屋上の床面と、集水桝５と、注水口４と、排水口６と、で構成されている。床面に降った雨水は、床面の傾斜により、集水桝５に集められ、注水口４を通って合葬室に注がれる。注水口４より上の水位に排水口６が設けてあるが、排水口６から雨水があふれる水位となった場合は、排水口６から雨水が排出される。
【００３２】
地下浸透手段は、合葬室本体１の開放された底面と、地下浸透部７と、で構成されている。合葬室に注がれた雨水は、一旦、合葬室空間に滞留するが、この時に、雨水による遺骨の脱灰現象が発生し、遺骨の風化を促進させる。遺骨成分のリン酸カルシウムを溶解した雨水は、地下浸透部７を通して、徐々に、地下土壌に浸透していく。
【００３３】
合葬室の密閉手段は、合葬室本体１と、封水機能を持つ管トラップ付の注水口４と、散骨口３と、散骨口蓋２と、で構成されている。合葬室は、地下浸透部７を除き、外部と遮断された状態となっており、室外からの異物の侵入を防止すると共に、室内の物質の室外への流出を防止することができる。散骨口蓋２は誤っての開放を防止するために、鍵付きとすることができる。
【００３４】
遺骨の風化を促進する手段は、雨水を合葬室に引き込み、遺骨の堆積部に雨水を滞留させることにより、遺骨の脱灰現象を生じさせて、遺骨の風化を促進する。さらに、滞留した雨水は、遺骨の成分を溶解した後、徐々に地下に浸透し、次に引き込まれた新しい雨水と入れ替わるため、遺骨成分の溶解が継続する。
【００３５】
合葬室は、合葬室本体1と、散骨口蓋２と、散骨口３と、注水口４と、地下浸透部７と、前記部分で囲まれた合葬室空間と、で構成されている。
【００３６】
合葬室本体1の外縁と散骨口２との距離は、散骨者が散骨口２から散骨できる距離とする必要から、５０センチメートル以下とする。
【産業上の利用可能性】
【００３７】
本発明は一般的な合葬墓に利用することができる。
【符号の説明】
【００３８】
１          合葬室本体
２          散骨口蓋
３          散骨口
４          注水口
５          集水桝
６          排水口
７          地下浸透部
８          遺骨保管室
９          慰霊板貼付け壁
１０          慰霊板
１１          仏像
１２          花立て
１３          遺骨保管室階段
１４          遺骨保管室入口扉
１５          手すり
１６          遺骨保管棚